(57)【特許請求の範囲】
【請求項１】
指定されたネットワーク・セルから、共通チャネルで１又は複数のメッセージを取得することと、
前記１又は複数のメッセージの復号を試みることと、
前記１又は複数のメッセージの復号が試みられている間に遭遇されたそれぞれの誤りをトラッキングすることと、
前記１又は複数のメッセージの復号を試みることに関連付けられた、トラッキングされたそれぞれの誤りに従って、前記指定されたネットワーク・セルに関して、バーリングされたネットワーク・セルに関連付けられた回避手順を開始することと
を備える方法。
【請求項２】
前記共通チャネルは共通制御チャネル（ＣＣＣＨ）である請求項１に記載の方法。
【請求項３】
前記１又は複数のメッセージは、ラジオ・リソース制御（ＲＲＣ）メッセージを備える請求項１に記載の方法。
【請求項４】
前記トラッキングすることは、関連付けられた抽象構文が無効である前記１又は複数のメッセージにおけるそれぞれのメッセージをトラッキングすることを備える請求項１に記載の方法。
【請求項５】
前記トラッキングすることは、前記１又は複数のメッセージの復号が試みられている間に遭遇された誤りのあるメッセージの総数を維持することを備え、
前記開始することは、前記総数が、予め定めらたしきい値を超えたと判定した場合に、前記指定されたネットワーク・セルに関して、バーリングされたネットワーク・セルに関連付けられた回避手順を開始すること備える請求項１に記載の方法。
【請求項６】
前記総数は、前記１又は複数のメッセージの復号が試みられている間に遭遇された連続する誤りのあるメッセージの総数である請求項５に記載の方法。
【請求項７】
前記総数は、前記１又は複数のメッセージの復号が試みられている間に、予め定められた時間ウィンドウ内で遭遇された誤りのあるメッセージの総数である請求項５に記載の方法。
【請求項８】
前記トラッキングすることは、前記１又は複数のメッセージの復号が試みられている間に遭遇された、それぞれの誤りのあるメッセージ間の経過時間をトラッキングすることを備え、
前記開始することは、前記１又は複数のメッセージの復号が試みられている間に遭遇された、それぞれの誤りのあるメッセージ間の経過時間が、予め定められたしきい値よりも短いと判定した場合に、前記指定されたネットワーク・セルに関して、バーリングされたネットワーク・セルに関連付けられた回避手順を開始することを備える請求項１に記載の方法。
【請求項９】
前記開始することは、前記指定されたネットワーク・セルに関連付けられた周波数帯域とは本質的に異なる周波数帯域で、前記指定されたネットワーク・セルとは本質的に異なるネットワーク・セルの選択を開始することを備える請求項１に記載の方法。
【請求項１０】
前記取得することは、１又は複数の後続のシステム情報メッセージの存在を示す前記指定されたネットワーク・セルから、１又は複数のスケジューリング・メッセージを取得することを備える請求項１に記載の方法であって、
前記方法は更に、
前記１又は複数のスケジューリング・メッセージに基づいて、前記１又は複数の後続のシステム情報メッセージを獲得しようと試みることと、
前記１又は複数の後続のシステム情報メッセージを獲得しようとする試みが失敗した場合に、前記指定されたネットワーク・セルに関して、バーリングされたネットワーク・セルに関連付けられた回避手順を開始することと
を備える方法。
【請求項１１】
前記１又は複数の後続のシステム情報メッセージを獲得しようとする試みの失敗は、前記指定されたネットワーク・セルが前記１又は複数の後続のシステム情報メッセージの送信に失敗することに対応する請求項１０に記載の方法。
【請求項１２】
前記１又は複数の後続のシステム情報メッセージを獲得しようとする試みの失敗は、前記１又は複数の後続のシステム情報メッセージの受信の失敗と前記１又は複数の後続のシステム情報メッセージの復号の失敗とのうちの少なくとも１つに対応する請求項１０に記載の方法。
【請求項１３】
指定されたネットワーク・セルおよび前記指定されたネットワーク・セルに関連付けられた共通通信チャネルに関連するデータを格納するメモリと、
前記指定されたネットワーク・セルから、前記共通通信チャネルによって１又は複数のメッセージを取得し、前記１又は複数のメッセージの復号を試み、前記１又は複数のメッセージの復号が試みられている間に遭遇されたそれぞれの誤りをトラッキングし、前記１又は複数のメッセージの復号が試みられている間に遭遇された、トラッキングされたそれぞれの誤りに従って、前記指定されたネットワーク・セルに関して、バーリングされたネットワーク・セルに関連付けら得た回避手順を開始するように構成されたプロセッサと
を備える無線通信装置。
【請求項１４】
前記共通通信チャネルは、共通制御チャネル（ＣＣＣＨ）である請求項１３に記載の無線通信装置。
【請求項１５】
前記プロセッサは、少なくとも部分的に、関連付けられた抽象構文が無効である前記１又は複数のメッセージにおけるそれぞれのメッセージをトラッキングすることによって、前記１又は複数のメッセージの復号が試みられている間に遭遇されたそれぞれの誤りをトラッキングするように更に構成される請求項１３に記載の無線通信装置。
【請求項１６】
前記プロセッサは、前記１又は複数のメッセージの復号が試みられている間に遭遇された誤りのあるメッセージの総数を維持し、前記総数が予め定められたしきい値を超えたと判定した場合に、前記指定されたネットワーク・セルに関して、バーリングされたネットワーク・セルに関連付けられた回避手順を開始するように更に構成された請求項１３に記載の無線通信装置。
【請求項１７】
前記総数は、前記１又は複数のメッセージの復号が試みられている間に遭遇された連続する誤りのあるメッセージの総数である請求項１６に記載の無線通信装置。
【請求項１８】
前記総数は、前記１又は複数のメッセージの復号が試みられている間に、予め定められた時間ウィンドウ内で遭遇された誤りのあるメッセージの総数である請求項１６に記載の無線通信装置。
【請求項１９】
前記プロセッサは、前記１又は複数のメッセージの復号が試みられている間に遭遇されたそれぞれの誤りのあるメッセージ間の経過時間をトラッキングし、前記１又は複数のメッセージの復号が試みられている間に遭遇されたそれぞれの誤りのあるメッセージ間の経過時間が、予め定められたしきい値よりも短いと判定した場合に、前記指定されたネットワーク・セルに関して、バーリングされたネットワーク・セルに関連付けられた回避手順を開始するように更に構成された請求項１３に記載の無線通信装置。
【請求項２０】
バーリングされたネットワーク・セルに関連付けられた前記回避手順は、前記指定されたネットワーク・セルに関連付けられた周波数帯域とは本質的に異なる周波数帯域で、前記指定されたネットワーク・セルとは本質的に異なるネットワーク・セルを選択することを備える請求項１３に記載の無線通信装置。
【請求項２１】
前記メモリは更に、１又は複数の後続のシステム情報メッセージの存在を示す前記指定されたネットワーク・セルから受信された１又は複数のスケジューリング・メッセージに関連するデータを格納し、
前記プロセッサは更に、前記１又は複数のスケジューリング・メッセージに基づいて、前記１又は複数の後続のシステム情報メッセージを獲得しようと試み、前記１又は複数の後続のシステム情報メッセージを獲得しようとする試みが失敗した場合に、前記指定されたネットワーク・セルに関して、バーリングされたネットワーク・セルに関連付けられた回避手順を開始するように構成された請求項１３に記載の無線通信装置。
【請求項２２】
前記１又は複数の後続のシステム情報メッセージを獲得しようとする試みの失敗は、前記指定されたネットワーク・セルが前記１又は複数の後続のシステム情報メッセージを送信するのに失敗することに対応する請求項２１に記載の無線通信装置。
【請求項２３】
前記１又は複数の後続のシステム情報メッセージを獲得しようとする試みの失敗は、前記１又は複数の後続のシステム情報メッセージの受信の失敗と前記１又は複数の後続のシステム情報メッセージの復号の失敗とのうちの少なくとも１つに対応する請求項２１に記載の無線通信装置。
【請求項２４】
ネットワーク・セルからのそれぞれの共通メッセージの獲得を試みる手段と、
前記それぞれの共通メッセージの獲得が試みられている間に遭遇された誤りをトラッキングする手段と、
前記それぞれの共通メッセージの獲得が試みられている間に遭遇された、トラッキングされたそれぞれの誤りに従って、前記ネットワーク・セルから離れて前記ネットワーク・セルに対してバーリングを開始する手段と
を備える装置。
【請求項２５】
前記それぞれの共通メッセージは、共通制御チャネル（ＣＣＣＨ）に関連付けられている請求項２４に記載の装置。
【請求項２６】
前記トラッキングする手段は、関連付けられた抽象構文が無効であるそれぞれの共通メッセージをトラッキングする手段を備える請求項２４に記載の装置。
【請求項２７】
前記トラッキングする手段は、前記それぞれの共通メッセージの獲得が試みられている間に遭遇された誤りのあるメッセージの総数を維持する手段を備え、
前記バーリングを開始する手段は、前記総数が、予め定められたしきい値を超えていると判定した場合に、前記ネットワーク・セルから離れて前記ネットワーク・セルに対してバーリングを開始する手段を備える
請求項２４に記載の装置。
【請求項２８】
前記総数は、前記それぞれの共通メッセージの獲得が試みられている間に遭遇された、連続する誤りのあるメッセージの総数を備える請求項２７に記載の装置。
【請求項２９】
前記総数は、前記それぞれの共通メッセージの獲得が試みられている間に、予め定められた期間内に遭遇された誤りのあるメッセージの総数を備える請求項２７に記載の装置。
【請求項３０】
前記トラッキングする手段は、前記それぞれの共通メッセージの獲得が試みられている間に遭遇された、それぞれの誤りのあるメッセージ間の経過時間を判定する手段を備え、
前記バーリングを開始する手段は、前記それぞれの共通メッセージの獲得が試みられている間に遭遇された、それぞれの誤りのあるメッセージ間の経過時間が、予め定められたしきい値よりも短いと判定した場合に、前記ネットワーク・セルから離れて前記ネットワーク・セルに対してバーリングを開始する手段を備える請求項２４に記載の装置。
【請求項３１】
前記バーリングを開始する手段は、前記ネットワーク・セルに関連付けられた周波数帯域とは本質的に異なる周波数で、前記ネットワーク・セルから離れて前記ネットワーク・セルに対してバーリングを開始する手段を備える請求項２４に記載の装置。
【請求項３２】
前記装置は更に、１又は複数の後続のシステム情報メッセージの存在を示すネットワーク・セルからスケジューリング情報を取得する手段を備え、
前記獲得を試みる手段は、前記スケジューリング情報に基づいて、前記１又は複数の後続のシステム情報メッセージの獲得を試みる手段を備え、
前記バーリングを開始する手段は、前記１又は複数の後続のシステム情報メッセージを獲得しようとする試みが失敗した場合に、前記ネットワーク・セルから離れて前記ネットワーク・セルに対してバーリングを開始する手段を備える請求項２４に記載の装置。
【請求項３３】
前記１又は複数の後続のシステム情報メッセージを獲得しようとする試みの失敗は、前記ネットワーク・セルが前記１又は複数の後続のシステム情報メッセージの送信に失敗することに対応する請求項３２に記載の装置。
【請求項３４】
前記１又は複数の後続のシステム情報メッセージを獲得しようとする試みの失敗は、前記１又は複数の後続のシステム情報メッセージの受信の失敗と前記１又は複数の後続のシステム情報メッセージの復号の失敗とのうちの少なくとも１つに対応する請求項３２に記載の装置。
【請求項３５】
コンピュータ・プログラムであって、
ネットワーク・セルからのそれぞれの共通メッセージの獲得を試みることをコンピュータに実行させるコードと、
前記それぞれの共通メッセージの獲得が試みられている間に遭遇された誤りをトラッキングすることをコンピュータに実行させるコードと、
前記それぞれの共通メッセージの獲得が試みられている間に遭遇された、トラッキングされたそれぞれの誤りに従って、前記ネットワーク・セルから離れて前記ネットワーク・セルに対してバーリングを開始することをコンピュータに実行させるコードと
を備えるコンピュータ・プログラム。
【請求項３６】
前記それぞれの共通メッセージは、共通制御チャネル（ＣＣＣＨ）に関連付けられている請求項３５に記載のコンピュータ・プログラム。
【請求項３７】
前記トラッキングすることをコンピュータに実行させるコードは、関連付けられた抽象構文が無効であるそれぞれの共通メッセージをトラッキングすることをコンピュータに実行させるコードを備える請求項３５に記載のコンピュータ・プログラム。
【請求項３８】
前記トラッキングすることをコンピュータに実行させるコードは、前記それぞれの共通メッセージの獲得が試みられている間に遭遇された誤りのあるメッセージの総数を維持することをコンピュータに実行させるコードを備え、
前記バーリングを開始することをコンピュータに実行させるコードは、前記総数が、予め定められたしきい値を超えていると判定した場合に、前記ネットワーク・セルから離れて前記ネットワーク・セルに対してバーリングを開始することをコンピュータに実行させるコードを備える請求項３５に記載のコンピュータ・プログラム。
【請求項３９】
前記総数は、前記それぞれの共通メッセージの獲得が試みられている間に遭遇された、連続する誤りのあるメッセージの総数を備える請求項３８に記載のコンピュータ・プログラム。
【請求項４０】
前記総数は、前記それぞれの共通メッセージの獲得が試みられている間に、予め定められた期間内に遭遇された誤りのあるメッセージの総数を備える請求項３８に記載のコンピュータ・プログラム。
【請求項４１】
前記トラッキングすることをコンピュータに実行させるコードは、前記それぞれの共通メッセージの獲得が試みられている間に遭遇された、それぞれの誤りのあるメッセージ間の経過時間を判定することをコンピュータに実行させるコードを備え、
前記バーリングを開始することをコンピュータに実行させるコードは、前記それぞれの共通メッセージの獲得が試みられている間に遭遇された、それぞれの誤りのあるメッセージ間の経過時間が、予め定められたしきい値よりも短いと判定した場合に、前記ネットワーク・セルから離れて前記ネットワーク・セルに対してバーリングを開始することをコンピュータに実行させるコードを備える請求項３５に記載のコンピュータ・プログラム。
【請求項４２】
前記バーリングを開始することをコンピュータに実行させるコードは、前記ネットワーク・セルに関連付けられた周波数帯域とは本質的に異なる周波数帯域で、前記ネットワーク・セルから離れて前記ネットワーク・セルに対してバーリングを開始することをコンピュータに実行させるコードを備える請求項３５に記載のコンピュータ・プログラム。
【請求項４３】
前記ネットワーク・セルから、１又は複数の後続のシステム情報メッセージの存在を示すスケジューリング情報を取得することをコンピュータに実行させるコードを更に備え、
前記獲得を試みることをコンピュータに実行させるコードは、前記スケジューリング情報に基づいて、前記１又は複数の後続のシステム情報メッセージの獲得を試みることをコンピュータに実行させるコードを備え、
前記バーリングを開始することをコンピュータに実行させるコードは、前記１又は複数の後続のシステム情報メッセージを獲得しようとする試みが失敗した場合に、前記ネットワーク・セルから離れて前記ネットワーク・セルに対してバーリングを開始することをコンピュータに実行させるコードを備える
請求項３５に記載のコンピュータ・プログラム。
【請求項４４】
前記１又は複数の後続のシステム情報メッセージを獲得しようとする試みの失敗は、前記ネットワーク・セルが前記１又は複数の後続のシステム情報メッセージの送信に失敗することに対応する請求項４３に記載のコンピュータ・プログラム。
【請求項４５】
前記１又は複数の後続のシステム情報メッセージを獲得しようとする試みの失敗は、前記１又は複数の後続のシステム情報メッセージの受信の失敗と前記１又は複数の後続のシステム情報メッセージの復号の失敗とのうちの少なくとも１つに対応する請求項４３に記載のコンピュータ・プログラム。
【発明の詳細な説明】
【関連出願】
【０００１】
本願は、“Cell barring on erroneous messages,”と題され、２００９年１月５日に提出された米国特許仮出願６１／１４２５７１号の利益を権利主張する。上記出願の前文は、参照によって本明細書に組み込まれる。
【技術分野】
【０００２】
本開示は一般に無線通信に関し、特に、無線通信システムにおけるセル選択および誤りハンドリング（対処）に関する。
【背景技術】
【０００３】
無線通信システムは、例えば、音声、ビデオ、パケット・データ、ブロードキャストのような様々な通信サービスを提供するために広く展開され、メッセージング・サービスは、このような無線通信システムによって提供され得る。これらのシステムは、利用可能なシステム・リソースを共有することによって複数の端末のための通信をサポートすることができる多元接続システムであり得る。このような多元接続システムの実例は、符号分割多元接続(ＣＤＭＡ）システム、時分割多元接続(ＴＤＭＡ）システム、周波数分割多元接続(ＦＤＭＡ）システム、直交周波数分割多元接続(ＯＦＤＭＡ）システムを含む。
【０００４】
一般に、無線多元接続通信システムは、複数の無線端末のための通信を同時にサポートし得る。このようなシステムにおいて、各端末は、フォワードおよびリバース・リンクでの伝送によって、１又は複数の基地局と通信し得る。フォワード・リンク(すなわち、下りリンク）は、基地局から端末への通信リンクを称し、リバース・リンク(すなわち、上りリンク）は、端末から基地局への通信リンクを称する。この通信リンクは、単一入力単一出力(ＳＩＳＯ）システムか、複数入力単一出力(ＭＩＳＯ）システムか、複数入力複数出力(ＭＩＭＯ）システムによって確立され得る。
【０００５】
無線通信は、セルラ通信ネットワークによって、および／あるいは、それぞれのユーザ器機ユニット(ＵＥ）とネットワーク・セルとの間のメッセージの交換による、別の適切な通信環境によって伝導され得る。いくつかの場合において、様々な要因によって、(例えば、不正な形式のメッセージあるいはメッセージの欠如のような形態で）劣化したサービスをＵＥが所定のネットワーク・セルから受信することが引き起こされ得るということが理解され得る。ＥＵサービスの劣化をもたらし得るいくつかの要因は本質的に一時的なものであるが、その他の要因はより長い持続期間にわたるサービスの途絶を引き起こし得る。従来、ＵＥは所定のネットワーク・セルから遭遇される誤りに応じて(例えば、セットワーク・セルを回避するような）過剰な予防動作をとることを回避するように構成され得る。しかし、このようなＵＥの構成は、いくつかの場合において、ＵＥが機能不全のネットワーク・セルに「取り残される（”trapped”）」ことを結果としてもたらし得る。例えば、ＵＥがネットワーク・セルからの不完全なメッセージを無視するように指示されているイベントにおいて、ネットワーク・セルから経験される劣化が長期にわたる（extended）場合、このＵＥは関連付けられたネットワーク上でサービスを取得することが実質的にできなくなる。従って、無線通信システム内で送信された誤りのあるメッセージに対処するための、改良された技術を実現することが望ましいだろう。
【発明の概要】
【０００６】
権利主張される要旨の様々な態様の基本的認識を提供するために、このような態様の簡略化された概要が以下に示される。この概要は、意図された態様全てについての広範囲な要約ではなく、重要事項や決定的要素を識別することも、そのような態様の範囲を線引くことも意図されていない。この概要の唯一の目的は、後に示される、より詳細な説明に対する前置きとして、開示される態様のいくつかの概念を簡略化形式で示すことである。
【０００７】
態様に従って、方法が本明細書において説明される。この方法は、指定されたネットワーク・セルから共通チャネルで１又は複数のメッセージを取得することと、１又は複数のメッセージの復号を試みることと、１又は複数のメッセージの復号が試みられている間に遭遇されたそれぞれの誤りをトラッキングすることと、１又は複数のメッセージの復号を試みることに関連付けられた、トラッキングされたそれぞれの誤りに従って、指定されたネットワーク・セルに関して、バーリングされたネットワーク・セル（barred network cell）に関連付けられた回避手順を開始することとを備え得る。
【０００８】
本明細書において説明される第２の態様は、無線通信装置に関連する。これは、指定されたネットワーク・セルと、この指定されたネットワークに関連付けられた共通通信チャネルとに関連するデータを格納するメモリを備え得る。この無線通信装置は、指定されたネットワーク・セルから共通通信チャネルで１又は複数のメッセージを取得し、１又は複数のメッセージの復号を試み、１又は複数のメッセージの復号が試みられている間に遭遇されたそれぞれの誤りをトラッキングし、１又は複数のメッセージの復号が試みられている間に遭遇された、トラッキングされたそれぞれの誤りに従って、指定されたネットワーク・セルに関して、バーリングされたネットワーク・セルに関連付けられた回避手順を開始するように構成されたプロセッサを備え得る。
【０００９】
第３の態様は装置に関する。これは、ネットワーク・セルから、それぞれの共通メッセージを獲得することを試みる手段と、それぞれの共通メッセージの獲得が試みられている間に遭遇された誤りをトラッキングする手段と、それぞれの共通メッセージの獲得が試みられている間に遭遇された、トラッキングされたそれぞれの誤りに従って、このネットワーク・セルから離れて再選択を開始する手段とを備え得る。
【００１０】
本明細書において説明される第４の態様は、コンピュータ・プログラム製品に関する。これは、ネットワーク・セルからの、それぞれの共通メッセージの獲得を試みることをコンピュータに実行させるためのコードと、それぞれの共通メッセージの獲得が試みられている間に遭遇された誤りをトラッキングすることをコンピュータに実行させるためのコードと、それぞれの共通メッセージの獲得が試みられている間に遭遇された、トラッキングされたそれぞれの誤りに従って、このネットワーク・セルから離れて再選択を開始することをコンピュータに実行させるためのコードとを備えるコンピュータ読取可能媒体を含み得る。
【００１１】
前述の目的およびそれに関連する目的の達成に向けて、権利主張される要旨の１又は複数の態様は、これより以下に説明され、特に、請求項において指摘される特徴を備える。以下の説明および添付図面は、権利主張される要旨の特定の例示的な態様を詳細に説明する。これらの態様は例示的であるが、権利主張される要旨の原理が用いられ得る様々な様式のうちのほんのいくつかを示しているに過ぎない。更に、開示される態様は、このような全ての態様と、それらに対する同等物を含むよう意図されている。
【図面の簡単な説明】
【００１２】
【図１】図１は、様々な態様に従って、無線通信システムにおいて誤りのあるメッセージを識別した場合にセル・バーリング手順を実施するためのシステムのブロック図である。
【図２】図２は、様々な態様に従って、個別のセル回避／再選択手順に関連してメッセージ誤りをトラッキングするためのシステムのブロック図である。
【図３】図３は、様々な態様に従って、それぞれのセル回避／再選択手順に関連してメッセージ誤りをトラッキングするためのシステムのブロック図である。
【図４】図４は、様々な態様に従って、無線通信システム内で受信されたそれぞれのメッセージに関連付けられた抽象構文の誤りを検出および処理するためのシステムのブロック図である。
【図５】図５は、様々な態様に従って、無線通信システム内のそれぞれのスケジュールされた伝送に関連付けられた誤りを検出および処理するためのシステムのブロック図である。
【図６】図６は、無線通信システムにおいて、指定されたネットワーク・セルから受信された誤りのあるメッセージに応じて、セル・バーリング手順を実施するための方法体系のフロー図である。
【図７】図７は、無線通信システムにおいて、指定されたネットワーク・セルから受信された誤りのあるメッセージに応じて、セル・バーリング手順を実施するための方法体系のフロー図である。
【図８】図８は、無線通信システムにおいて、指定されたネットワーク・セルから受信された誤りのあるメッセージに応じて、セル・バーリング手順を実施するための方法体系のフロー図である。
【図９】図９は、無線通信システム内で誤り管理をシグナリングすることを容易にする装置のブロック図である。
【図１０】図１０は、本明細書において説明される様々な態様を実施するために利用され得る無線通信デバイスのブロック図である。
【図１１】図１１は、本明細書において説明される様々な態様を実施するために利用され得る無線通信デバイスのブロック図である。
【図１２】図１２は、本明細書において説明される様々な態様に従って、無線多元接続通信システムを例示する。
【図１３】図１３は、本明細書において説明される様々な態様が機能し得る無線通信システムの例を示すブロック図である。
【発明を実施するための形態】
【００１３】
権利主張される要旨の様々な態様が、図面の参照を伴って説明される。ここにおいて、同一符番が同一要素を示すために使用され得る。以下の記述において、説明のために、多くの特定の詳細が、１又は複数の態様の完全な理解を提供するために説明される。しかし、こういった態様が、これらの特定の詳細なしに実践され得ることは明白である。その他の実例において、周知の構造およびデバイスは、１又は複数の態様の説明を容易にするために、ブロック図形態で示される。
【００１４】
用語「構成要素」、「モジュール」、「システム」などは、本願において使用される際、コンピュータに関連するエンティティ、すなわち、ハードウェアか、ファームウェアか、ハードウェアとソフトウェアとの組合せか、ソフトウェアか、実行中のソフトウェアかの何れかを称するように意図されている。例えば、構成要素は、プロセッサ上で動作する処理や、集積回路や、オブジェクトや、実行ファイルや、実行スレッドや、プログラムおよび／あるいはコンピュータであり得るが、それらに限定はされない。実例として、コンピューティング・デバイス上で動作するアプリケーションと、コンピューティング・デバイスとの両方が、構成要素であり得る。１又は複数の構成要素が、処理および／あるいは実行スレッド内に存在し、１つのコンピュータ上に局在化されるか、および／あるいは、２以上のコンピュータ間で分散され得る。加えて、これらの構成要素は、格納された様々なデータ構造を有する様々なコンピュータ読取可能媒体から実行され得る。(例えば、ローカル・システムにおいてや、分散システムにおいてや、および／あるいは、インターネットのようなネットワークにわたって、信号によって別の構成要素と相互作用する１つの構成要素からのデータのような）１又は複数のデータ・パケットを有する信号に従うような、ローカルおよび／あるいはリモートな処理を通じて構成要素は通信できる。
【００１５】
更に、無線端末および／あるいは基地局に関連付けて、様々な態様が本明細書において説明される。無線端末は、音声および／あるいはデータ接続性をユーザに提供するデバイスを称し得る。無線端末は、ラップトップ・コンピュータあるいはデスクトップ・コンピュータのようなコンピューティング・デバイスに接続され得る、あるいは、携帯情報端末(ＰＤＡ）のような、自立型デバイスであり得る。無線端末は、システム、サブキャリア・ユニット、サブキャリア局、モバイル局、モバイル、遠隔局、アクセス・ポイント、遠隔端末、アクセス端末、ユーザ端末、ユーザ・エージェント、ユーザ・デバイス、あるいはユーザ器機(ＵＥ）とも呼ばれ得る。無線端末は、サブキャリア局、無線デバイス、セルラ電話、ＰＣＳ電話、コードレス電話、セッション初期化プロトコル(ＳＩＰ）電話、無線ローカル・ループ(ＷＬＬ）局、形態情報端末(ＰＤＡ）、無線接続性能を有するハンドヘルド・デバイス、あるいは無線モデムに接続されたその他の処理デバイスであり得る。基地局(例えば、アクセス・ポイント又はノードＢ）は、エア・インタフェースによって、１又は複数のセクタを介して無線端末と通信する、アクセス・ネットワークにおけるデバイスを称し得る。この基地局は、受信されたエア・インフェース・フレームをＩＰパケットに変換することによって、無線端末と、残りのアクセス・ネットワークとの間のルータとしての役目を務める。これは、インターネット・プロトコル(ＩＰ）ネットワークを含み得る。この基地局は更に、エア・インタフェースについての属性の管理を調整する。
【００１６】
更に、本明細書において説明される様々な機能は、ハードウェア、ソフトウェア、ファームウェア、あるいはそれら任意の組合せにおいて実施され得る。ソフトウェアにおいて実現される場合、これらの機能は、１あるいは複数の命令群あるいはコードとして、コンピュータ読取可能媒体に格納され得る、もしくはそれによって送信され得る。コンピュータ読取可能媒体は、コンピュータ記憶媒体と、ある場所から別の場所へのコンピュータ・プログラムの転送を容易にする任意の媒体を含む通信媒体との両方を含む。記憶媒体は、コンピュータによってアクセスされ得る任意の利用可能な媒体である。限定ではなく例として、このようなコンピュータ読取可能媒体は、ＲＡＭや、ＲＯＭや、ＥＥＰＲＯＭや、ＣＤ−ＲＯＭもしくはその他の光ディスク記憶装置や、磁気ディスク記憶装置もしくはその他の磁気記憶デバイスや、あるいは命令群もしくはデータ構造の形態で希望のプログラム・コードを伝達するあるいは格納するために使用され、コンピュータ、あるいはプロセッサによってアクセスされ得る、その他任意の媒体を備え得る。更に、任意のコネクションが、コンピュータ読取可能媒体と適切に称される。例えば、同軸ケーブルや、光ファイバ・ケーブルや、ツイスト・ペアや、デジタル加入者回線(ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバ・ケーブルや、ツイスト・ペアや、ＤＳＬや、あるいは赤外線、無線、及びマイクロ波のような無線技術は、媒体の定義に含まれる。本明細書で使用されるようなディスク(ｄｉｓｋ）及びディスク(ｄｉｓｃ）は、コンパクト・ディスク(ＣＤ）(ｄｉｓｃ）、レーザ・ディスク(ｄｉｓｃ）、光学ディスク、デジタル・バーサタイル・ディスク(ＤＶＤ）(ｄｉｓｋ）、フロッピー(登録商標）ディスク(ｄｉｓｋ）及びブルーレイ(登録商標）ディスク(ｄｉｓｃ）(ＢＤ）を含む。 ここで、ディスク(ｄｉｓｋ）は通常データを磁気的に再生する一方、ディスク(ｄｉｓｃ）はレーザを用いてデータを光学的に再生する。上記のものによる組合せも、コンピュータ読取可能媒体の範囲内に含まれるべきである。
【００１７】
本明細書において説明された技術は、符号分割多元接続多元アクセス(ＣＤＭＡ）システム、時分割多元接続多元アクセス(ＴＤＭＡ）システム、周波数分割多元アクセス(ＦＤＭＡ）システム、直交周波数分割アクセス(ＯＦＤＭＡ）システム、単一キャリアＦＤＭＡ(ＳＣ−ＦＤＭＡ）システム、およびその他のシステムのような、様々な無線通信システムのために使用され得る。用語「システム」および「ネットワーク」は、本明細書において、しばしば置換可能に使用される。ＣＤＭＡネットワークは、ユニバーサル地上ラジオ・アクセス(ＵＴＲＡ）やｃｄｍａ２０００などのようなラジオ技術を実現し得る。ＵＴＲＡは、広帯域ＣＤＭＡ(Ｗ−ＣＤＭＡ）およびＣＤＭＡのその他の変形を含む。ｃｄｍａ２００は、ＩＳ−２０００規格、ＩＳ−９５規格、ＩＳ−８５６規格をカバーする。ＴＤＭＡシステムは、グローバル・システム・フォー・モバイル・コミュニケーション(ＧＳＭ(登録商標））のような無線技術を実現し得る。ＯＦＤＭＡシステムは、例えば、発展型ＵＴＲＡ(Ｅ−ＵＴＲＡ）、ウルトラ・モバイル・ブロードキャスト(ＵＭＢ）、ＩＥＥＥ８０２．１１(Ｗｉ−Ｆｉ）、ＩＥＥＥ８０２．１６(ＷｉＭＡＸ）、ＩＥＥＥ８０２．２０．Ｆｌａｓｈ−ＯＦＤＭ(登録商標）などのような無線技術を実現し得る。ＵＴＲＡおよびＥ−ＵＴＲＡは、ユニバーサル・モバイル・テレコミュニケーション・システム(ＵＭＴＳ）の一部である。３ＧＰＰロング・ターム・エボリューション(ＬＴＥ）は、Ｅ−ＵＴＲＡを使用する最新リリースである。これは、下りリンクでＯＦＤＭＡを用いて、上りリンクでＳＣ−ＦＤＭＡを用いる。ＵＴＲＡ、Ｅ−ＵＴＲＡ、ＵＭＴＳ、ＬＴＥ、およびＧＳＭは第３世代パートナシップ・プロジェクト(３ＧＰＰ）と命名された団体からの文書において説明される。加えて、ＣＤＭＡ２０００およびＵＭＢは、「第３世代パートナシップ・プロジェクト２」(３ＧＰＰ２）と命名された団体からの文書において説明される。
【００１８】
多数のデバイス、構成要素、モジュール等を含み得るシステムの観点から、様々な態様が示されるだろう。様々なシステムが、更なるデバイス、構成要素、モジュール等を含むこと、および／あるいは、図面に関連して議論されるそれらのデバイス、構成要素、モジュールなどのいくつか、あるいは全てを省略し得ることが理解されるべきである。これらのアプローチの組合せも使用され得る。
【００１９】
図面を参照すると、図１は本明細書において説明される様々な態様に従って、無線通信システムにおいて誤りのあるメッセージを識別した場合にセル・バーリング（barring）手順を実施するためのシステム１００を例示する。図１が例示しているように、システム１００は、１又は複数のネットワーク・セル(例えば、基地局、アクセス・ポイント(ＡＰ）、ノードＢあるいは発展型ノードＢ(ｅＮＢ）等）１１０を含み得る。これは、１又は複数のユーザ器機ユニット(ＵＥ：本明細書においては更に、アクセス端末(ＡＴ）、モバイル端末等とも称される）１２０と通信し得る。例えば、ＵＥ１２０は、ネットワーク・セル１１０との１又は複数のアップリンク(ＲＬ：リバース・リンク(ＲＬ）とも称される）通信に従事し、ネットワーク・セル１１０は、ＵＥ１２０との１又は複数のダウンリンク(ＤＬ：フォワード・リンク(ＦＬ）とも称される）通信に従事し得る。更にあるいは代替的に、ネットワーク・セル１１０および／あるいはＵＥ１２０は、お互いとの任意の適切な通信、システム１００におけるその他のネットワーク・セルおよび／あるいはＵＥとの任意の適切な通信、および／あるいはその他任意の適切なネットワーク・エンティティとの任意の適切な通信に従事し得る。
【００２０】
１つの態様によると、システム１００におけるネットワーク・セル１１０、ＵＥ１２０、および／あるいはその他のエンティティは、システム情報のセットに従って動作し得る。１つの実例において、ネットワーク・セル１００は、システム情報ソース１１２、および／あるいは、システム１００の動作に関連する情報が識別、生成、さもなければ取得されるその他の手段に関連付けられ得る。システム情報は、例えば、ネットワーク・セル１１０において局所的に生成されるか、外部ソース(例えば、ラジオ・ネットワーク制御装置(ＲＮＣ）および／あるいはその他の適切な手段）から取得されるか、あるいは任意のその他適切な様式で取得され得る。
【００２１】
システム１００に例示されるように、システム情報ソース１１２に関連付けられたシステム情報は、送信機１１４を介して、ネットワーク・セル１１０によって送信され得る。１つの態様によると、制御情報は、１又は複数の共通メッセージ、および／あるいは共通チャネル（例えば、ブロードキャスト制御チャネル(ＢＣＣＨ）、共通制御チャネル(ＣＣＣＨ）、ページング制御チャネル(ＰＣＣＨ）など)を介して送信されるその他任意の適切なメッセージの形態で、ネットワーク・セル１１０によって送信され得る。代替的に、それぞれのＵＥ１２０への専用ユニキャスト・シグナリングおよび／あるいはその他適切な送信技術が利用され得る。１つの実例において、ネットワーク・セル１１０によって送信された制御メッセージは、ラジオ・リソース制御(ＲＲＣ）メッセージおよび／あるいはその他任意の適切なプロトコルに従って構成されたメッセージであり得る。
【００２２】
システム１００において更に図示されるように、ネットワーク・セル１１０によって制御シグナリングおよび／あるいはその他の共通メッセージを伝送する場合、ＵＥ１２０は受信機１２２、および／あるいは、それぞれのシグナリングおよび／あるいはメッセージを受信するためのその他適切なメカニズムを利用し得る。１つの実例において、ＵＥ１２０において受信されると、それぞれのメッセージおよび／あるいはその他のシグナリングは、更なる処理のために復号器１２４にパスされる。
【００２３】
１つの態様において、無線通信は、ネットワーク・セル１１０とＵＥ１２０との間のメッセージの交換によって、システム１００内で促進され得る。しかし、システム１００に関連付けられた様々な要因によって、ネットワーク・セル１１０に関連付けられたそれぞれのメッセージが、不正な形式になる(例えば、復号器１２４におけるメッセージの復号中に誤りに遭遇するような）ことや、削除される(例えば、受信機１２２におけるメッセージの受信中に誤りに遭遇するような)ことや、および／あるいは、さもなければ、誤りのあるメッセージとなることが引き起こされる。１つの実例において、ネットワーク・セル１１０からＵＥ１２０への、誤りのあるダウンリンク・メッセージは、ネットワーク・セル１１０とＵＥ１２０との間の通信サービスに一時の途絶をもたらす障害物を有するエリアにわたるＵＥ１２０のモビリティのような、一時的な要因によって引き起こされ得る。更にあるいは代替的に、ネットワーク・セル１１０が不適格な近隣リストを送っていたり、ネットワーク・セル１１０が、ＵＥ１２０をアイドル状態から接続状態にするための復号可能メッセージを送信することができなかったりするようなその他の要因によって、より長い持続時間にわたるサービスの途絶を結果として引き起こし得る。
【００２４】
共通チャネルにおいて生じる一時的な誤りに対して、ＵＥ１２０は、システム情報ブロック(ＳＩＢ）および／あるいはＵＥ１２０によって誤りがあると判定(determine)されたその他のメッセージ要素を無視するように構成され得る。例えば、誤りが一時的であり、誤りのないサービスが比較的短い期間内に復帰すると予期される場合においてネットワーク・セル１１０を放棄するような、不当な動作を実行することを防ぐことができる保守的な誤りハンドリング処置といったような構成が、ＵＥ１２０によって利用され得る。しかし、ネットワーク・セル１１０からＵＥ１２０への、より長い期間にわたるサービス途絶の場合、ＵＥ１２０が、ネットワーク・セル１１０によって提供された欠陥メッセージを単に無視するように(例えば、そして何の追加の動作も実行しないように）プログラムされていると、このような誤りハンドリング・ストラテジーは、ＵＥ１２０が「身動きが取れなくなる("trapped”）」および／あるいは、不正な形式のメッセージを送信している機能不全ネットワークのカバレッジから離れることができなくなることを結果として引き起こし得るということが理解され得る。これによってＵＥ１２０が、長期間かつ実質的に、システム１００内での通信サービスを取得することができなくなり得るということが理解され得る。
【００２５】
このように、少なくとも以上を考慮して、ＵＥ１２０は、誤り検出モジュール１２６、セル再選択モジュール１２８、および／あるいはその他のメカニズムによって、改良された誤りハンドリング性能を実現し得る。これによって、ＵＥ１２０は、共通チャネル上でのプロトコル問題のために使用には適さないと判定されているネットワーク・セルを避ける(例えば、このようなネットワークから離れて選択を開始する）ことができるようになる。１つの態様によると、誤り検出モジュール１２６は、ネットワーク・セル１１０から共通チャネルで取得された１又は複数のメッセージの受信および復号が(例えば、受信機１２２および復号器１２４のそれぞれによって）試みられている間に遭遇されたそれぞれの誤りをトラッキングし得る。セル再選択モジュール１２８は、誤り検出モジュール１２６によってトラッキングされたそれぞれの誤りに従って、ネットワーク・セル１１０に関して、バーリングされたネットワーク・セルに関連付けられた１又は複数の回避手順を開始し得る。それに従って、ネットワーク・セル１１０が不正な形式のメッセージを送信しているイベントにおいて、ＵＥ１２０が新たなセルを再選択できるようにすることによって、ＵＥ１２０にとっての最良のセルとなると判定されたネットワーク・セルにおいて深刻なネットワーク誤りがある場合でも、ＵＥ１２０を誤りのあるセルから抜け出せなく(stuck）させるということがないように、誤り検出モジュール１２６および／あるいはセル再選択モジュール１２８が、ＵＥ１２０のための誤りハンドリングにおけるフェイルセーフとして利用され得る。誤り検出モジュール１２６およびセル再選択モジュール１２８が動作するための技術の様々な特定の実例が、更に詳細に以下に説明される。
【００２６】
１つの態様において、共通チャネルでネットワーク・セル１１０からのそれぞれのメッセージを受信および／あるいは復号している間、誤り検出モジュール１２６によって識別されたそれぞれの誤りに基づいて、セル再選択モジュール１２８が、ネットワーク・セル１１０はシステム１００内の後続の通信のためにバーリングされるべきものと見なされる１又は複数の手順を実施し得る。通常、セル・バーリングは、無線通信システムにおける所定のネットワーク・セルについて、暗示的にあるいは明示的に行使され得る。例えば、(例えば、ネットワーク・オペレータによって実行される）特殊用途のセルや、メンテナンスが実行されているセルなどの場合、セルは、このセルがバーリングされる、このセルの射程内のそれぞれのユーザに明示的にシグナリングし得る。このようなシグナリングを受信すると、それぞれのユーザは、(例えば、バーリングされたセルによってサービス提供されているのとは異なる周波数で）バーリングされていないセルを選択する１又は複数の手順を経験し得る。代替的に、ユーザがそのセルに接続できないほど誤りのある(例えば、マスター情報ブロック(ＭＩＢ）などに相当する）決定的なシステム情報をセルが提供しているとユーザが判定したイベントにおいては、ユーザはセルが明示的にバーリングされている場合のように、カバレッジ・セルから離れることができる。
【００２７】
別の態様によると、ネットワーク・セル１１０から共通チャネルで誤りのあるシステム・メッセージが受信された場合において、ネットワーク・セル１１０をバーリングされるべきものと見なすために、セル再選択モジュール１２８がＵＥ１２０によって利用され、その結果、不正な形式のメッセージおよび／あるいはその他の誤りのある情報を送信するネットワーク・セルに直面した場合において、ＵＥ１２０の、システム１００内でサービスを取得する能力が改良され得る。通常、ＵＥが共通チャネルで復号不可能なメッセージを取得した(例えば、メッセージのフォーマットが正しくなかったり、メッセージの符号化に誤りがあったり、といったような）場合、このＵＥは一般に、単純にこのメッセージを無視するように構成される。しかし、ネットワーク・セルが、破損した(corrupt）メッセージを共通チャネルで送信している場合、このようなセルの挙動は、いくつかの場合において、ネットワーク・セルに関連付けられた重大な誤りを示し得るということが更に理解され得る。それに従って、このような誤りに直面すると、本明細書において説明されるようなＵＥ１２０は、重要なシステム情報以外のシステム情報がネットワーク・セル１１０から受信されないおよび／あるいは誤って受信される場合に対して、欠落した重要なシステム情報に一般的に適用されるものと同様の誤りハンドリング挙動を利用することによって十分な性能を確実にするように構成され得る。
【００２８】
特定の実例として、ＵＥ１２０は、ネットワーク・セル１１０によって送信された近隣リストに対応する情報を受信および復号するように構成され得る。ネットワーク・セル１１０によって送信された近隣リストが破損しているとＵＥ１２０が判定したイベントにおいて、ＵＥ１２０は、いくつかの場合において、ネットワーク・セル１１０の近隣にあるセルに関連する情報を取得できず、これがＵＥ１２０のモビリティに悪影響を与え得るということが理解され得る。代替的に、いくつかの場合において、ＵＥ１２０は、ネットワーク・セル１１０が正常に動作していないと推測し、ネットワーク・セル１１０がバーリングされている場合のように誤りハンドリング手順を開始し得る。
【００２９】
別の特定の実例のように、ネットワーク・セル１１０からＵＥ１２０への通信のために利用されるそれぞれの共通チャネルは、ネットワーク・セル１１０によって共通チャネルで送信されるそれぞれのメッセージが、ＵＥ１２０のような、これらのメッセージを受信する任意のエンティティによって復号可能となるように構成され得る。それに従って、ＵＥ１２０が、ネットワーク・セル１１０によって共通チャネルで送信されたメッセージの復号において誤りを検出すると、ネットワーク・セル１１０が明示的にバーリングされている場合のように、ＵＥ１２０がネットワーク・セル１１０を回避し得ることに基づいて、ネットワーク・セル１１０が根本的な動作誤りを経験していると、ＵＥ１２０は推測し得る。
【００３０】
１つの態様によると、セル再選択モジュール１２８の動作をトリガするのに十分な、ネットワーク・セル１１０に関連付けられた誤りを検出すると、セル再選択モジュール１２８は、ネットワーク・セル１１０に関連付けられた周波数帯域とは本質的に異なる周波数帯域で、ネットワーク・セル１１０とは本質的に異なるネットワーク・セルの選択を開始し得る。１つの実例において、このような再選択は、ネットワーク・セルが明示的にバーリングされていることを検出した場合にＵＥ１２０によって実行される再選択動作と同様の様式で実行され得る。別の実例において、このような再選択は、現在のラジオ周波数(ＲＦ）条件、ＵＥ１２０の基準モビリティ挙動、および／あるいはその他の関連付けられた要因とは無関係に実行され得る。
【００３１】
図２−３では、本明細書において説明される様々な態様に従って、それぞれのセル回避および／あるいは再選択手順に関連して、メッセージ誤りのトラッキングを容易にするそれぞれのシステム２００−３００が例示されている。初めに図２を見ると、メッセージ誤りをトラッキングするためのシステム２００は、受信機１２２および復号器１２４を含み得る。これらは、上記に一般的に説明されたような、(例えば、ネットワーク・セル１１０から共通チャネルで受信されたメッセージのような）着信（incoming）メッセージを処理するために利用され得る。更に、誤り検出モジュール１２６は、それぞれのメッセージの受信および復号に関連付けられた誤りを検出するために用いられ得る。システム２００に更に図示されるように、誤りトラッキング・モジュール２１０は、誤り検出モジュール１２６によって検出されたそれぞれの誤りをトラッキングするために利用され、セル再選択モジュール１２８は、誤りトラッキング・モジュール２１０の動作に基づいて、バーリングされたセルに関連付けられた１又は複数のセル再選択手順を開始するために利用され得る。
【００３２】
１つの態様によると、システム２００における誤りトラッキング・モジュール２１０は、誤りカウンター２１２を含み得る。これらは、受信機１２２および復号器１２４のそれぞれによって、誤りのない(respected)メッセージの受信および／あるいは復号が試みられている間に遭遇された誤りのあるメッセージの総数を維持するために利用され得る。１つの実例において、セル再選択モジュール１２８は、ネットワーク・セルを、様々な様式でバーリングされるべきものと見なすかどうかを決定(determine)する際に、誤りカウンター２１２を利用し得る。実例として、セル再選択モジュール１２８は、受信に失敗したメッセージおよび／あるいは復号不可能なメッセージに十分な数遭遇した(例えば、誤りカウンター２１２によって維持された総数が予め定められたしきい値を超えた）と判定すると、指定されたネットワーク・セルに関して、バーリングされたネットワーク・セルに関連付けられた回避手順を開始し得る。
【００３３】
別の態様によると、誤りカウンター２１２は、様々な様式で、誤り総数を維持し得る。例えば、誤りカウンター２１２によって維持される総数は、それぞれのメッセージの復号が試みられている間に遭遇された、連続する誤りのあるメッセージの総数であり得る。更にあるいは代替的に、誤りカウンター２１２によって維持される総数は、それぞれのメッセージの復号が試みられている間に、予め定められた期間あるいはウィンドウ内で遭遇された誤りのあるメッセージの総数であり得る。更に、誤りトラッキング・モジュール２１０、誤りカウンター２１２および／あるいはセル再選択モジュール１２８は、ネットワーク・セルが様々な要因に従ってバーリングされるべきものと見なされる基準としての機能を果たす誤りしきい値数(例えば、ｎ）を定義し得る。限定的ではない特定の実例として、しきい値ｎは、誤りハンドリングにおいて利用される積極性の望ましいレベルと、(例えば、干渉や、一時のエア・インタフェース条件などに起因する誤りのあるメッセージの場合における）不当なセル・バーリングの可能性とのトレードオフに従って、個別に設定され得る。しかし、上記で説明されたような誤り総数が、任意の適切な様式で維持および／あるいは利用され得るということが理解されるべきである。
【００３４】
図３を参照すると、メッセージ誤りをトラッキングするための別のシステム３００は、受信機１２２および復号器１２４を含み得る。これらは、図２のシステム２００と同様の様式で、誤り検出モジュール１２６、誤りトラッキング・モジュール２１０、および／あるいはセル再選択モジュール１２８と相互作用し得る。１つの態様によると、システム３００における誤りトラッキング・モジュール２１０は、タイマ・モジュール３１２を含み得る。これは、受信機１２２および／あるいは復号器１２４によって遭遇される誤りに関連付けられた１又は複数の時間測定を調整し得る。タイマ・モジュール３１２によって調整されたそれぞれの時間測定は、セル再選択モジュール１２８による決定のための基準としての機能を果たす。
【００３５】
実例として、タイマ・モジュール３１２は、受信機１２２あるいは復号器１２４のそれぞれによって、それぞれのメッセージの受信および／あるいは復号が試みられている間に遭遇されたそれぞれの誤りのあるメッセージ間の経過時間をトラッキングし得る。その後、セル再選択モジュール１２８は、受信および／あるいは復号が試みられている間に遭遇されたそれぞれの誤りのあるメッセージ間の経過時間が、予め定められたしきい値よりも短いと判定すると、指定されたネットワーク・セルに関して、バーリングされたネットワーク・セルに関連付けられた回避手順を開始し得る。
【００３６】
上記の実例に関して、経過時間がタイマ・モジュール３１２によってトラッキングされるそれぞれのメッセージは、連続するメッセージおよび／あるいは連続しないメッセージである。従って、例えば、タイマ・モジュール３１２は、連続する誤りのあるメッセージ間の経過時間を測定し、(連続するあるいは連続しない）誤りのあるメッセージの予め定められた数が、予め定められた期間内に検出されたかどうかを判定し、および／あるいは、その他任意の適切な様式で、それぞれのメッセージに関連付けられた時間測定をトラッキングし得る。
【００３７】
図４には、様々な態様に従って無線通信システム内で受信されたそれぞれのメッセージに関連付けられた抽象構文誤り（abstract syntax errors）を検出および処理するためのシステム４００のブロック図が例示される。図４に例示されるように、システム４００は、ネットワーク・セル１１０を含み得る。これは、システム情報ソース１１２、送信機１１４、および／あるいはシステム１００に関して上記で説明されたような、１又は複数の共通チャネルでＵＥ１２０に情報を送信するためのその他の手段を利用し得る。システム４００は更に、ネットワーク・セル１１０からの着信（incoming）共通メッセージを処理するための、受信機１２２および復号器１２４をUE１２０が含み得ることを例示している。セル再選択モジュール１２８が予め定められた環境下で(例えば、ネットワーク・セル１１０がバーリングされた場合のように）新たなネットワーク・セルの選択を開始し得ることに基づいて、それぞれのメッセージの復号に関連付けられた誤りを検出するために、誤り検出モジュール１２６がＵＥ１２０によって利用され得る。
【００３８】
１つの態様によると、誤り検出モジュール１２６は、構文分析器４２２か、あるいは、関連付けられた抽象構文が無効な、ＵＥ１２０によって受信された１又は複数のメッセージ内のそれぞれのメッセージをトラッキングするその他の手段を利用し得る。例えば、潜在的なセル選択のための無効な抽象構文(例えば、ネットワーク・セル１１０からの共通チャネルにおける無効なAbstract Syntax Notation １(ＡＳＮ．１）復号）のために復号器１２４によって復号不可能なメッセージに関連付けられたそれぞれの誤りをトラッキングするために、構文分析器４２２が利用され得る。
【００３９】
通常、ＵＥ１２０が共通通信チャネル(例えば、ＢＣＣＨ、ＰＣＣＨ、ＣＣＣＨなど）で抽象構文が無効なＲＲＣメッセージあるいはその他のメッセージを受信すると、ＵＥ１２０はメッセージを無視するように構成され得る。しかし、ネットワーク・セル１１０によって共通チャネルで通信される無効なメッセージは、いくつかの場合において、ＵＥ１２０が新たなネットワーク・セルを探索することが望ましいネットワーク・セル１１０に関連付けられた誤りを示し得るということが理解され得る。従って、構文分析器４２２は、いくつかの場合において、セル再選択モジュール１２８の動作をトリガするように構成され得る。例えば、ＣＣＣＨ(および／あるいはその他適切な共通チャネル）で、ＵＥ１２０がｎ個の連続する抽象構文が無効なＲＲＣメッセージおよび／あるいはネットワーク・セル１１０からのその他のメッセージよりも多くのメッセージを受信する場合に、ネットワーク・セル１１０をそれぞれのセル回避手順に従ってバーリングされるべきものと見なすために、セル再選択モジュール１２８が利用され得る。上記で使用されるように、ｎはＵＥ実施（UE implementation）および／あるいはその他の要因によって決定されるような、任意の整数である。更に、上記の実例は、連続する誤りのあるメッセージの観点から与えられるが、セル再選択モジュール１２８をトリガすることが、任意の適切な形式(例えば、システム２００あるいはシステム３００に関して上記で説明された任意の様式、および／あるいはその他任意の適切な様式）で生じ得るということが理解されるべきである。
【００４０】
図５には、様々な態様に従って、無線通信システム内での、それぞれのスケジュールされた伝送に関連付けられた誤りを検出および処理するためのシステム５００のブロック図が例示される。図５に例示されたように、システム５００は、ネットワーク・セル１１０を含み得る。これは、それぞれのスケジュールされた伝送をＵＥ１２０に伝えるために、スケジューリング・モジュール５１２および送信機１１４を利用し得る。システム５００が更に例示しているように、ＵＥ１２０は、受信機１２２および復号器１２４がネットワーク・セル１１０からの着信（incoming）メッセージを処理するために利用され得ることに基づいて、伝送スケジュール５２２に関連する情報および／あるいはネットワーク・セル１１０に関連するその他のスケジューリング情報を利用し得る。システム１００およびシステム４００と同様の様式で、セル再選択モジュール１２８が予め定められた環境下で(例えば、まるでネットワーク・セル１１０がバーリングされているかのように）新たなネットワーク・セルの選択を開始し得ることに基づいて、それぞれのメッセージの復号に関連付けられた誤りを検出するために、誤り検出モジュール１２６がＵＥ１２０によって利用され得る。
【００４１】
１つの態様によると、ＵＥ１２０は、ネットワーク・セル１１０から、１又は複数の後続のシステム情報メッセージの存在を示す１又は複数のスケジューリング・メッセージを取得するように構成され得る。１つの実例において、このようなスケジューリング・メッセージおよび／あるいはその他の適切な情報は、伝送スケジュール５２２に組み込まれ得る。その後、ＵＥ１２０は前に受信されたスケジューリング・メッセージに基づいて、１又は複数の後続のシステム情報メッセージを獲得しようと試み得る。(例えば、誤り検出モジュール１２６によって判定されるように）１又は複数の後続のシステム情報メッセージを獲得しようとする試みが失敗すると、セル再選択モジュール１２８は、ネットワーク・セル１１０に関して、バーリングされたネットワーク・セルに関連付けられた回避手順を開始し得る。別の態様によると、システム情報メッセージを獲得しようとする試みの失敗は、様々な様式で生じ得る。例えば、１又は複数の後続のシステム情報メッセージを獲得しようとする試みの失敗は、ネットワーク・セル１１０が後続のシステム情報メッセージの送信に失敗することに対応し得る。更にあるいは代替的に、１又は複数の後続のシステム情報メッセージを獲得しようとする試みの失敗は、後続のシステム情報メッセージの受信の失敗、後続のシステム情報メッセージの復号の失敗、および／あるいは検出されるその他任意の失敗イベントに対応し得る。
【００４２】
１つの実例において、情報メッセージのためのスケジューリング・ブロックが、正しく受信および復号され、ＵＥ１２０によって受信可能でも復号可能でもない更なるシステム情報の存在を示すイベントにおいて、システム５００が使用され得る。このような場合、ＵＥ１２０は、欠落した重要なシステム情報を検出した場合に用いられるのと同様の誤りハンドリング技術を利用するように構成され得る。例えば、UE１２０が、接続の再確立中、接続モードかアイドル・モードで動作しており、かつネットワーク・セル１１０がＭＩＢ、SystemInformationBlockType１(ＳＩＢ１）、あるいはSystemInformationBlockType２(ＳＩＢ２）を送信しない(あるいは、ＵＥ１２０がＭＩＢ、ＳＩＢ１、ＳＩＢ２を獲得できないと仮定した）場合、ＵＥ１２０は、ネットワーク・セル１１０を、様々な誤りハンドリング手順に関連してバーリングされるべきものと見なし得る。このように、１つの態様によると、上記で説明されたように情報がスケジューリングされている場合において、ＵＥ１２０はこのセル・バーリング技術を拡張し得る。例えば、ネットワーク・セル１１０が、その存在がＳＩＢ１におけるスケジューリング情報および／あるいはその他任意の適切なスケジューリング情報に示されているその他任意のシステム情報ブロックを送信しない場合、あるいはこのシステム情報ブロックを獲得することは不可能だとＵＥ１２０が仮定した場合、ＵＥ１２０はこのセルを、様々な誤りハンドリング処理に関連してバーリングされるべきものと見なし得る。
【００４３】
図６−８には、本明細書において説明される様々な態様に従って実行され得る複数の方法体系が例示される。説明の簡略化のために、方法体系は一連の動作として図示および説明されるが、これらの方法体系は動作の順序によって限定されることはなく、１又は複数の態様によると、いくつかの動作は、本明細書において図示および説明されたのとは、異なる順序でおよび／あるいは別の動作と同時に、生じ得るということが理解されるべきである。例えば、これらの方法体系は状態図における場合のように、一連の相関状態および相関イベントとして代替的に示され得るということを当業者は理解および認識するだろう。更に、１又は複数の態様に従う方法体系を実施するために、例示された動作の全てが必要とされるわけではない。
【００４４】
図６には、無線通信システムにおいて指定されたネットワーク・セルから受信された誤りのあるメッセージに応じて、セル・バーリング手順を伝えるための方法体系６００が例示されている。方法体系６００は、例えば、ＵＥ(例えば、ＵＥ１２０）および／あるいはその他任意の適切なネットワーク・エンティティによって実行され得ることが理解されるべきである。方法体系６００は、ブロック６０２で開始する。ここにおいて、１又は複数のメッセージが指定されたネットワーク・セル(例えば、ネットワーク・セル１１０）から(例えば、受信機１２２によって）通信チャネルで取得される。次に、ブロック６０４において、１又は複数のメッセージの復号が(例えば、復号器１２４によって）試みられる。ブロック６０６において、１又は複数のメッセージの復号が試みられている間に遭遇されたそれぞれの誤りが(例えば、誤り検出モジュール１２６および／あるいは誤りトラッキング・モジュール２１０によって）トラッキングされる。その後、方法体系６００はブロック６０８において終了する。ここにおいて、ブロック６０６においてトラッキングされたような、１又は複数のメッセージの復号が試みられている間に遭遇されたそれぞれの誤りに従って、ブロック６０２においてメッセージが得られた、指定されたネットワーク・セルに関して、バーリングされたネットワーク・セルに関連付けられた回避手順が(例えば、セル再選択モジュール１２８によって）開始される。
【００４５】
図７には、誤りのあるメッセージについてセル・バーリングを行わせるための別の方法体系７００のフロー図が例示されている。方法体系７００は、モバイル・ユーザ・デバイスおよび／あるいはその他任意の適切なネットワーク・エンティティによって実行され得る。方法体系７００は、ブロック７０２において開始する。ここにおいて、ＲＲＣメッセージがネットワーク・セルから共通制御チャネルで受信される。次に、ブロック７０４において、ブロック７０２において受信されたＲＲＣメッセージに関連付けられた抽象構文が、有効かどうかが(例えば、構文分析器４２２によって）判定される。メッセージの抽象構文が有効な場合、方法体系７００は、新たなメッセージの処理のためにブロック７０２に戻り得る。さもなければ、方法体系７００は、ブロック７０６および／あるいはブロック７０８に進み得る。
【００４６】
ブロック７０６において、(例えば、誤りカウンター２１２によって維持されるような）無効な構文を有する連続するメッセージの総数が、しきい値Ｎを超えているかどうかが判定される。総数がＮを超えている場合、方法体系はブロック７１０において終了する。ここにおいて、ブロック７０２においてＲＲＣメッセージが受信されたネットワーク・セルがバーリングされる。さもなければ、方法体系７００は、更なるＲＲＣメッセージを処理するために、ブロック７０２に戻り得る。同様に、ブロック７０８において、(例えば、タイマ・モジュール３１２によって維持されるような）無効な構文を有する最後のメッセージからの経過時間が予め定められたしきい値よりも短いかどうかが判定される。経過時間がしきい値よりも短い場合、方法体系７００は、上記で説明されたように、ブロック７１０で終了し得る。さもなければ、方法体系７００は、更なるＲＲＣメッセージの処理のためにブロック７０２に戻り得る。
【００４７】
図８は、誤ったメッセージについてセル・バーリングを実行するための第３の方法体系８００を例示する。方法体系８００は、例えば、モバイル端末および／あるいはその他任意の適切なネットワーク・エンティティによって実行され得る。方法体系８００は、ブロック８０２において開始する。ここにおいて、スケジューリング情報(例えば、伝送スケジュール５２２）が、１又は複数の後続のシステム情報ブロックに関連するネットワーク・セルから取得される。次に、ブロック８０４において、ブロック８０２において取得されたスケジューリング情報に対応する１又は複数の後続のシステム情報ブロックの獲得は、取得されたスケジューリング情報に従って試みられる。次に、ブロック８０６において、ブロック８０４において実行されたような獲得が成功したかどうかが判定される。獲得が成功している場合は、方法体系８００は終了し得る。そうでない場合、方法体系８００は終了する前にブロック８０８に進む。ここにおいて、８０２において受信されたスケジューリング情報の送信元であるネットワーク・セルが、バーリングされるべきものと見なされる。
【００４８】
図９には、無線通信システム内で誤り管理をシグナリングすることを容易にする装置９００が例示される。装置９００は、機能ブロックを含んでいるように表され、これらは、プロセッサ、ソフトウェア、あるいはそれらの組合せ(例えば、ファームウェア）によって実施される機能を表す機能ブロックであるということが理解されるべきである。装置９００は、(例えば、ＵＥ１２０のような）ＵＥおよび／あるいはその他任意の適切なネットワーク・エンティティによって実施され、ネットワーク・セルからのそれぞれの共通メッセージの獲得を試みるためのモジュール９０２と、それぞれの共通メッセージの獲得が試みられている間に遭遇された誤りをトラッキングするためのモジュール９０４と、それぞれの共通メッセージの獲得が試みられている間に遭遇された、トラッキングされたそれぞれの誤りに従って、このネットワーク・セルから離れて再選択を開始するためのモジュール９０６とを含み得る。
【００４９】
図１０は、本明細書において説明される機能の様々な態様を実施するために利用され得るシステム１０００のブロック図である。１つの実例において、システム１０００は、基地局あるいはノードＢ１００２を含む。例示されたように、ノードＢ１００２は、信号を、１又は複数の受信(Ｒｘ）アンテナ１００６によって、１又は複数のＵＥ１００４から受信し、１又は複数の送信(Ｔｘ）アンテナ１００８によって、１又は複数のＵＥ１００４へ送信する。更に、ノードＢ１００２は、受信アンテナ１００６から情報を受信する受信機１０１０を備え得る。１つの実例において、受信機１０１０は、受信された情報を復調する復調器(Ｄｅｍｏｄ）１０１２に動作可能なように関連付けられ得る。復調されたシンボルはその後、プロセッサ１０１４によって分析され得る。プロセッサ１０１４は、メモリ１０１６に結合され得る。これは、コード・クラスタ(code cluster）、アクセス端末割当、これに関連するルックアップ・テーブル、一意的スクランブリング・シーケンス、および／またはその他適切な種類の情報に関連する情報を格納することができる。１つの実例において、ノードB１００２は更に、送信アンテナ１００８を介する、送信機１０２０による伝送のために信号を多重化し得る変調器１０１８を含み得る。
【００５０】
図１１は、本明細書において説明される機能の様々な態様を実施するために利用され得る別のシステム１１００のブロック図である。１つの実例では、システム１１００はモバイル端末１１０２を備える。例示されているように、モバイル端末１１０２は信号を、１又は複数のアンテナ１１０８を介して、１又は複数の基地局１１０４から受信し、１又は複数の基地局１１０４に送信する。更に、モバイル端末１１０２は、アンテナ１１０８から情報を受信する受信機１１１０を備え得る。１つの実例において、受信機１１１０は、受信された情報を復調する復調器(Ｄｅｍｏｄ）１１１２に動作可能なように関連付けられ得る。復調されたシンボルはその後、プロセッサ１１１４によって分析され得る。プロセッサ１１１４は、モバイル端末１１０２に関連するデータおよび／あるいはプログラム・コードを格納し得るメモリ１１１６に結合され得る。更に、モバイル端末１１０２は、方法体系６００−８００および／あるいはその他同様のおよび適切な方法体系を実行するためにプロセッサ１１１４を用い得る。モバイル端末１１０２は更に、アンテナ１１０８を介する送信機１１２０による伝送のために信号を多重化し得る変調器１１１８を含み得る。
【００５１】
図１２では、様々な態様に従って、無線多元接続通信システムの例示が提供される。１つの実例において、アクセス・ポイント１２００(ＡＰ）は、複数のアンテナ・グループを含む。図１２に例示されるように、１つのアンテナ・グループは、アンテナ１２０４、１２０６を含み、別のグループは、アンテナ１２０８、１２１０を含み、別のグループはアンテナ１２１２、１２１４を含み得る。図１２において、２つのアンテナだけが各アンテナ・グループのために図示されているが、２つより多いあるいは少ないアンテナが、各グループのために利用され得る。別の実例において、アクセス端末１２１６は、アンテナ１２１２、１２１４と通信できる。ここで、アンテナ１２１２、１２１４は情報を、フォワード・リンク１２２０によってアクセス端末１２１６へ送信し、リバース・リンク１２１８によってアクセス端末１２１６から受信する。更におよび／あるいは代替的に、アクセス端末１２２２は、アンテナ１２０６、１２０８と通信できる。ここで、アンテナ１２０６、１２０８は情報を、フォワード・リンク１２２６によってアクセス端末１２２２へ送信し、リバース・リンク１２２４によってアクセス端末１２２２から受信する。周波数分割双方向システムにおいて、通信リンク１２１８、１２２０、１２２４、１２２６は、通信のために異なる周波数を使用し得る。例えば、フォワード・リンク１２２０は、リバース・リンク１２１８によって使用されるのとは異なる周波数を使用し得る。
【００５２】
アンテナの各グループおよび／あるいはそれらが通信するために設計されているエリアは、アクセス・ポイントのセクタとも称され得る。１つの態様によると、アンテナ・グループは、アクセス・ポイント１２００によってカバーされているエリアのセクタにおけるアクセス端末に通信するように設計され得る。フォワード・リンク１２２０、１２２６による通信において、アクセス・ポイント１２００の送信アンテナは、異なるアクセス端末１２１６、１２２２のためのフォワード・リンクの信号対雑音比を向上させるために、ビームフォーミングを利用し得る。更に、自己のカバレッジにわたってランダムに散在しているアクセス端末に送信するためにビームフォーミングを使用するアクセス・ポイントは、近隣セルにおけるアクセス端末に対しては、単一のアンテナによって自己のアクセス端末全てに送信するアクセス・ポイントに対するよりも少ない干渉しかもたらさない。
【００５３】
例えばアクセス・ポイント１２００のようなアクセス・ポイントは、端末と通信するために使用される固定局であり、基地局、ｅＮＢ、アクセス・ネットワーク、および／あるいはその他の適切な用語で称され得る。更に、例えばアクセス端末１２１６、１２２２のようなアクセス端末は、モバイル端末、ユーザ器機、無線通信デバイス、端末、無線端末、および／あるいはその他の適切な用語で称され得る。
【００５４】
図１３には、本明細書において説明される様々な態様が機能し得る無線通信システム１３００の例を示すブロック図が提供される。１つの実例において、システム１３００は、送信機システム１３１０および受信機システム１３５０を含む複数入力複数出力(ＭＩＭＯ）システムである。しかし、送信機システム１３１０および／あるいは受信機システム１３５０は、複数入力単一出力システムにも適用され得る。ここにおいて、例えば、(例えば基地局における）複数の送信アンテナが、１又は複数のシンボル・ストリームを単一のアンテナ・デバイス(例えば、モバイル局）に送信し得る。更に、本明細書において説明される送信機システム１３１０および／あるいは受信機システム１３５０の態様は、単一出力単一入力のアンテナ・システムに関連して利用され得る。
【００５５】
１つの態様によると、多数のデータ・ストリームのためのトラフィック・データが、送信機システム１３１０において、データ・ソース１３１２から、送信(ＴＸ）データ・プロセッサ１３１４へ提供される。１つの実例において、各データ・ストリームはその後、それぞれの送信アンテナ１３２４によって送信され得る。更に、ＴＸデータ・プロセッサ１３１４は、符号化されたデータを提供するために、それぞれのデータ・ストリームの各々のために選択された特定の符号化スキームに基づいて、各データ・ストリームのためにトラフィック・データをフォーマット、符号化、およびインタリーブし得る。１つの実例において、各データ・ストリームのために符号化されたデータはその後、ＯＦＤＭ技術を使用して、パイロット・データと共に多重化され得る。パイロット・データは、例えば、周知の様式で処理される周知のデータ・パターンであり得る。更に、このパイロット・データは、チャネル応答を推定するために、受信機システム１３５０において使用され得る。送信機システム１３１０において、各データ・ストリームのための、多重化されたパイロットおよび符号化されたデータは、変調シンボルを提供するために、それぞれのデータ・ストリームの各々のために選択された特定の変調スキーム(例えば、ＢＰＳＫ、ＱＰＳＫ、Ｍ−ＰＳＫ、あるいはＭ−ＱＡＭ）に基づいて変調(例えば、シンボル・マッピング）され得る。１つの実例において、各データ・ストリームのためのデータ・レート、符号化、および変調は、プロセッサ１３３０上で実行されるおよび／あるはプロセッサ１３３０によって提供される命令群によって決定され得る。
【００５６】
次に、全てのデータ・ストリームのための変調シンボルが、ＴＸ  ＭＩＭＯプロセッサ１３２０に提供され得る。これは、変調シンボルを(例えば、ＯＦＤＭのために）更に処理し得る。ＴＸ  ＭＩＭＯプロセッサ１３２０はその後、ＮＴ個の変調シンボル・ストリームを、ＮＴ個のトランシーバ１３２２ａ乃至１３２２ｔへ提供し得る。１つの実例において、各トランシーバ１３２２は、それぞれのシンボル・ストリームを受信および処理して、１又は複数のアナログ信号を提供し得る。各トランシーバ１３２２はその後、更に、アナログ信号を調整(例えば、増幅、フィルタ、アップコンバート）して、ＭＩＭＯチャネルによる伝送に適した、変調された信号を提供し得る。従って、トランシーバ１３２２ａ乃至１３２２ｔからのＮＴ個の変調信号はその後、ＮＴアンテナ１３２４ａ乃至１３２４ｔのそれぞれから送信され得る。
【００５７】
別の態様によると、送信された変調された信号は、受信機システム１３５０においてＮＲ個のアンテナ１３５２ａ乃至１３５２ｒによって受信され得る。各アンテナ１３５２から受信された信号はその後、それぞれのトランシーバ１３５４に提供され得る。１つの実例において、各トランシーバ１３５４は、それぞれの受信された信号を調整(例えば、フィルタ、増幅、およびダウンコンバートし、この調整された信号をデジタル化してサンプルを提供し、その後、このサンプルを処理して、対応する「受信された」シンボル・ストリームを提供する。ＲＸ  ＭＩＭＯ／データ・プロセッサ１３６０はその後、特定の受信機処理技術に基づいて、ＮＲ個のトランシーバ１３５４からＮＲ個の受信されたシンボル・ストリームを受信および処理して、ＮＴ個の「検出された」シンボル・ストリームを提供する。１つの実例において、各検出されたシンボル・ストリームは、対応するデータ・ストリームのために送信された変調シンボルの推定であるシンボルを含み得る。ＲＸプロセッサ１３６０はその後、少なくとも部分的に、各検出されたシンボル・ストリームを復調、デインタリーブ、復号することによって各シンボル・ストリームを処理して、対応するデータ・ストリームのためのトラフィック・データを復元し得る。このように、ＲＸプロセッサ１３６０による処理は、送信機システム１３１０において、ＴＸ  ＭＩＭＯプロセッサ１３２０およびＴＸデータ・プロセッサ１３１４によって実行される処理に対して相補的であり得る。ＲＸプロセッサ１３６０は追加的に、処理されたシンボル・ストリームをデータ・シンク１３６４に提供し得る。
【００５８】
１つの態様によると、ＲＸプロセッサ１３６０によって生成されたチャネル応答推定は、受信機における空間／時間処理を実行し、電力レベルを調節し、変調レートあるいはスキームを変更し、および／あるいは、その他の適切な動作を実行するために使用され得る。それに加えて、ＲＸプロセッサ１３６０は更に、例えば、検出されたシンボル・ストリームの信号対雑音および干渉比(ＳＮＲ）のようなチャネル特性を推定し得る。ＲＸプロセッサ１３６０はその後、推定されたチャネル特性をプロセッサ１３７０に提供し得る。１つの実例において、ＲＸプロセッサ１３６０および／あるいはプロセッサ１３７０は更に、システムのための「動作(operating)」ＳＮＲの推定を導出し得る。プロセッサ１３７０はその後、通信リンクおよび／あるいは受信されたデータ・ストリームに関する情報を備え得るチャネル状態情報(ＣＳＩ）を提供し得る。この情報は、例えば、動作ＳＮＲを含み得る。ＣＳＩはその後、ＴＸデータ・プロセッサ１３１８によって処理され、変調器１３８０によって変調され、トランシーバ１３５４ａ乃至１３５４ｒによって調整され、送信機システム１３１０に対して送信され得る。更に、受信機システム１３５０おけるデータ・ソース１３１６は、ＴＸデータ・プロセッサ１３１８によって処理されるべき追加のデータを提供し得る。
【００５９】
送信機システム１３１０において、受信機システム１３５０からの変調された信号はその後、受信機システム１３５０によって報告されたＣＳＩを復元するために、アンテナ１３２４によって受信され、トランシーバ１３２２によって調整され、復号器１３４０によって復号され、ＲＸデータ・プロセッサ１３４２によって処理され得る。１つの実例において、報告されたＣＳＩはその後、プロセッサ１３３０に提供され、１又は複数のデータ・ストリームのために使用されるべき符号化および変調スキームに加えてデータ・レートを決定するために使用され得る。決定された符号化および変調スキームはその後、量子化および／あるいはその後の受信機システム１３５０への伝送における使用のために、トランシーバ１３２２に提供され得る。更におよび／あるいは代替的に、報告されたＣＳＩは、ＴＸデータ・プロセッサ１３１４およびＴＸ  ＭＩＭＯプロセッサ１３２０のための様々な制御を生成するためにプロセッサ１３３０によって使用され得る。別の実例において、ＣＳＩおよび／あるいはＲＸデータ・プロセッサ１３４２によって処理されたその他の情報は、データ・シンク１３４４に提供され得る。
【００６０】
１つの実例において、送信機システム１３１０におけるプロセッサ１３３０および受信機システム１３５０におけるプロセッサ１３７０は、それぞれのシステムにおいて動作を管理する。更に、送信機システム１３１０におけるメモリ１３３２および受信機システム１３５０におけるメモリ１３７２は、プロセッサ１３３０、１３７０のそれぞれによって使用されるプログラム・コードおよびデータのために記憶装置を提供し得る。更に、受信機システム１３５０において、様々な処理技術は、ＮＲ個の受信された信号を処理して、ＮＴ個の送信されたシンボル・ストリームを検出するために使用され得る。これらの受信機処理技術は、量子化技術とも称され得る空間および空間時間受信機処理技術、および／あるいは、「連続干渉除去」あるいは「連続除去」受信機処理技術とも称され得る「連続ヌリング(nulling)／量子化および干渉除去」受信機処理技術を含み得る。
【００６１】
本明細書において説明される態様は、ハードウェア、ソフトウェア、ファームウェア、ミドルウェア、マイクロコード、あるいはそれら任意の組合せによって実施され得ると理解されあるべきである。このシステムおよび／あるいは方法は、ソフトウェア、ファームウェア、ミドルウェアあるはマイクロコード、プログラム・コードあるいはコード・セグメントにおいて実施される場合、記憶装置構成要素のような、機械読取可能媒体に格納され得る。コード・セグメントは、手順か、機能か、サブプログラムか、プログラムか、ルーティンか、サブルーティンか、モジュールか、ソフトウェア・パッケージか、クラスか、あるいは、命令群、データ構成、あるいはプログラム文からなる任意の組合せかを表し得る。コード・セグメントは、情報、データ、引数（argument）、パラメータ、あるいはメモリ・コンテンツをパスおよび／あるいは受信することによって、別のコード・セグメントあるいはハードウェア回路に結合され得る。情報、引数、パラメータ、データなどが、メモリ共有、メッセージ・パッシング、トークン・パッシング、ネットワーク伝送などを含む任意の適切な手段を使用して、パス、フォワード、あるいは送信され得る。
【００６２】
ソフトウェアにおける実施では、本明細書において説明される技術は、本明細書において説明される機能を実行するモジュール(例えば、手順や機能など）を用いて実施される。ソフトウェア・コードは、メモリ・ユニットに格納され、プロセッサによって実行され得る。メモリ・ユニットは、プロセッサ内に、あるいはプロセッサの外側に実現され得る。プロセッサの外側の場合、メモリ・ユニットは当該技術分野において周知の様々な手段によって、通信可能なようにプロセッサに結合され得る。
【００６３】
上記で説明された内容は、１又は複数の態様の実例を含む。もちろん、前述された態様を説明するために、構成要素あるいは方法体系の想到し得る全ての組合せを説明するのは不可能であるが、様々な態様からなる多くの更なる組合せあるいは置換えが可能であるということを当業者は認識し得る。従って、説明された態様は、添付の請求項の精神および範囲内に含まれるような変更、変形、およびバリエーションを包含するように意図されている。更に、用語「含む(includes)」は、詳細な説明あるいは請求項のどちらかにおいて使用される範囲内で、このような用語は、用語「備える」と類似して、「備える」が請求項において、遷移語として用いられる場合のように包括的であることが意図されている。更に、用語「又は／あるいは(ｏｒ）」は、詳細な説明あるいは特許請求の範囲の何れかにおいて使用される場合に、「非排他的なあるいは／又は」を意味するよう意図されている。
以下に、本願出願の当初の特許請求の範囲に記載された発明を付記する。
［１］
指定されたネットワーク・セルから、共通チャネルで１又は複数のメッセージを取得することと、
前記１又は複数のメッセージの復号を試みることと、
前記１又は複数のメッセージの復号が試みられている間に遭遇されたそれぞれの誤りをトラッキングすることと、
前記１又は複数のメッセージの復号を試みることに関連付けられた、トラッキングされたそれぞれの誤りに従って、前記指定されたネットワーク・セルに関して、バーリングされたネットワーク・セルに関連付けられた回避手順を開始することと
を備える方法。
［２］
前記共通チャネルは共通制御チャネル(ＣＣＣＨ）である［１］に記載の方法。
［３］
前記１又は複数のメッセージは、ラジオ・リソース制御(ＲＲＣ）メッセージを備える［１］に記載の方法。
［４］
前記トラッキングすることは、関連付けられた抽象構文が無効である前記１又は複数のメッセージにおけるそれぞれのメッセージをトラッキングすることを備える［１］に記載の方法。
［５］
前記トラッキングすることは、前記１又は複数のメッセージの復号が試みられている間に遭遇された誤りのあるメッセージの総数を維持することを備え、
前記開始することは、前記総数が、予め定めらたしきい値を超えたと判定した場合に、前記指定されたネットワーク・セルに関して、バーリングされたネットワーク・セルに関連付けられた回避手順を開始すること備える［１］に記載の方法。
［６］
前記総数は、前記１又は複数のメッセージの復号が試みられている間に遭遇された連続する誤りのあるメッセージの総数である［５］に記載の方法。
［７］
前記総数は、前記１又は複数のメッセージの復号が試みられている間に、予め定められた時間ウィンドウ内で遭遇された誤りのあるメッセージの総数である［５］に記載の方法。
［８］
前記トラッキングすることは、前記１又は複数のメッセージの復号が試みられている間に遭遇された、それぞれの誤りのあるメッセージ間の経過時間をトラッキングすることを備え、
前記開始することは、前記１又は複数のメッセージの復号が試みられている間に遭遇された、それぞれの誤りのあるメッセージ間の経過時間が、予め定められたしきい値よりも短いと判定した場合に、前記指定されたネットワーク・セルに関して、バーリングされたネットワーク・セルに関連付けられた回避手順を開始することを備える［１］に記載の方法。
［９］
前記開始することは、前記指定されたネットワーク・セルに関連付けられた周波数帯域とは本質的に異なる周波数帯域で、前記指定されたネットワーク・セルとは本質的に異なるネットワーク・セルの選択を開始することを備える［１］に記載の方法。
［１０］
前記取得することは、１又は複数の後続のシステム情報メッセージの存在を示す前記指定されたネットワーク・セルから、１又は複数のスケジューリング・メッセージを取得することを備える［１］に記載の方法であって、
前記方法は更に、
前記１又は複数のスケジューリング・メッセージに基づいて、前記１又は複数の後続のシステム情報メッセージを獲得しようと試みることと、
前記１又は複数の後続のシステム情報メッセージを獲得しようとする試みが失敗した場合に、前記指定されたネットワーク・セルに関して、バーリングされたネットワーク・セルに関連付けられた回避手順を開始することと
を備える方法。
［１１］
前記１又は複数の後続のシステム情報メッセージを獲得しようとする試みの失敗は、前記指定されたネットワーク・セルが前記１又は複数の後続のシステム情報メッセージの送信に失敗することに対応する［１０］に記載の方法。
［１２］
前記１又は複数の後続のシステム情報メッセージを獲得しようとする試みの失敗は、前記１又は複数の後続のシステム情報メッセージの受信の失敗と前記１又は複数の後続のシステム情報メッセージの復号の失敗とのうちの少なくとも１つに対応する［１０］に記載の方法。
［１３］
指定されたネットワーク・セルおよび前記指定されたネットワーク・セルに関連付けられた共通通信チャネルに関連するデータを格納するメモリと、
前記指定されたネットワーク・セルから、前記共通通信チャネルによって１又は複数のメッセージを取得し、前記１又は複数のメッセージの復号を試み、前記１又は複数のメッセージの復号が試みられている間に遭遇されたそれぞれの誤りをトラッキングし、前記１又は複数のメッセージの復号が試みられている間に遭遇された、トラッキングされたそれぞれの誤りに従って、前記指定されたネットワーク・セルに関して、バーリングされたネットワークに関連付けら得た回避手順を開始するように構成されたプロセッサと
を備える無線通信装置。
［１４］
前記共通通信チャネルは、共通制御チャネル(ＣＣＣＨ）である［１３］に記載の無線通信装置。
［１５］
前記プロセッサは更に、少なくとも部分的に、関連付けられた抽象構文が無効である前記１又は複数のメッセージにおけるそれぞれのメッセージをトラッキングすることによって、前記１又は複数のメッセージの復号が試みられている間に遭遇されたそれぞれの誤りをトラッキングするように更に構成される［１３］に記載の無線通信装置。
［１６］
前記プロセッサは、前記１又は複数のメッセージの復号が試みられている間に遭遇された誤りのあるメッセージの総数を維持し、前記総数が予め定められたしきい値を超えたと判定した場合に、前記指定されたネットワーク・セルに関して、バーリングされたネットワーク・セルに関連付けられた回避手順を開始するように更に構成された［１３］に記載の無線通信装置。
［１７］
前記総数は、前記１又は複数のメッセージの復号が試みられている間に遭遇された連続する誤りのあるメッセージの総数である［１６］に記載の無線通信装置。
［１８］
前記総数は、前記１又は複数のメッセージの復号が試みられている間に、予め定められた時間ウィンドウ内で遭遇された誤りのあるメッセージの総数である［１６］に記載の無線通信装置。
［１９］
前記プロセッサは、前記１又は複数のメッセージの復号が試みられている間に遭遇されたそれぞれの誤りのあるメッセージ間の経過時間をトラッキングし、前記１又は複数のメッセージの復号が試みられている間に遭遇されたそれぞれの誤りのあるメッセージ間の経過時間が、予め定められたしきい値よりも短いと判定した場合に、前記指定されたネットワークに関して、バーリングされたネットワーク・セルに関連付けられた回避手順を開始するように更に構成された［１３］に記載の無線装置。
［２０］
バーリングされたネットワークに関連付けられた前記回避手順は、前記指定されたネットワーク・セルに関連付けられた周波数帯域とは本質的に異なる周波数帯域で、前記指定されたネットワーク・セルとは本質的に異なるネットワーク・セルを選択することを備える［１３］に記載の無線通信装置。
［２１］
前記メモリは更に、１又は複数の後続のシステム情報メッセージの存在を示す前記指定されたネットワーク・セルから受信された１又は複数のスケジューリング・メッセージに関連するデータを格納し、
前記プロセッサは更に、前記１又は複数のスケジューリング・メッセージに基づいて、前記１又は複数の後続のシステム情報メッセージを獲得しようと試み、前記１又は複数の後続のシステム情報メッセージを獲得しようとする試みが失敗した場合に、前記指定されたネットワーク・セルに関して、バーリングされたネットワーク・セルに関連付けられた回避手順を開始するように構成され得る［１３］に記載の無線通信装置。
［２２］
前記１又は複数の後続のシステム情報メッセージを獲得しようとする試みの失敗は、前記指定されたネットワーク・セルが前記１又は複数の後続のシステム情報メッセージを送信するのに失敗することに対応する［２１］に記載の無線通信装置。
［２３］
前記１又は複数の後続のシステム情報メッセージを獲得しようとする試みの失敗は、前記１又は複数の後続のシステム情報メッセージの受信の失敗と前記１又は複数の後続のシステム情報メッセージを復号の失敗とのうちの少なくとも１つに対応する［２１］に記載の無線通信装置。
［２４］
ネットワーク・セルからのそれぞれの共通メッセージの獲得を試みる手段と、
前記それぞれの共通メッセージの獲得が試みられている間に遭遇された誤りをトラッキングする手段と、
前記それぞれの共通メッセージの獲得が試みられている間に遭遇された、トラッキングされたそれぞれの誤りに従って、前記ネットワーク・セルから離れて再選択を開始する手段と
を備える装置。
［２５］
前記それぞれの共通メッセージは、共通制御チャネル(ＣＣＣＨ）に関連付けられている［２４］に記載の装置。
［２６］
前記トラッキングする手段は、関連付けられた抽象構文が無効であるそれぞれの共通メッセージをトラッキングする手段を備える［２４］に記載の装置。
［２７］
前記トラッキングする手段は、前記それぞれの共通メッセージの獲得が試みられている間に遭遇された誤りのあるメッセージの総数を維持する手段を備え、
前記再選択を開始する手段は、前記総数が、予め定められたしきい値を超えていると判定した場合に、前記ネットワーク・セルから離れて再選択を開始する手段を備える
［２４］に記載の装置。
［２８］
前記総数は、前記それぞれの共通メッセージの獲得が試みられている間に遭遇された、連続する誤りのあるメッセージの総数である［２７］に記載の装置。
［２９］
前記総数は、前記それぞれの共通メッセージの獲得が試みられている間に、予め定められた期間内に遭遇された誤りのあるメッセージの総数を備える［２７］に記載の装置。
［３０］
前記トラッキングする手段は、前記それぞれの共通メッセージの獲得が試みられている間に遭遇された、それぞれの誤りのあるメッセージ間の経過時間を判定する手段を備え、
前記再選択を開始する手段は、前記それぞれの共通メッセージの獲得が試みられている間に遭遇された、それぞれの誤りのあるメッセージ間の経過時間が、予め定められたしきい値よりも短いと判定した場合に、前記ネットワーク・セルから離れて再選択を開始する手段を備える［２４］に記載の装置。
［３１］
前記再選択を開始する手段は、前記ネットワーク・セルに関連付けられた周波数帯域とは本質的に異なる周波数で、前記ネットワーク・セルから離れて再選択を開始する手段を備える［２４］に記載の装置。
［３２］
前記装置は更に、１又は複数の後続のシステム情報メッセージの存在を示すネットワーク・セルからスケジューリング情報を取得する手段を備え、
前記獲得を試みる手段は、前記スケジューリング情報に基づいて、前記１又は複数の後続のシステム情報メッセージの獲得を試みる手段を備え、
前期再選択を開始する手段は、前記１又は複数の後続のシステム情報メッセージを獲得しようとする試みが失敗した場合に、前記ネットワーク・セルから離れて再選択を開始する手段を備える［２４］に記載の装置。
［３３］
前記１又は複数の後続のシステム情報メッセージを獲得しようとする試みの失敗は、ネットワーク・セルが前記１又は複数の後続のシステム情報メッセージの送信に失敗することに対応する［３２］に記載の装置。
［３４］
前記１又は複数の後続のシステム情報メッセージを獲得しようとする試みの失敗は、前記１又は複数の後続のシステム情報メッセージの受信の失敗と前記１又は複数の後続のシステム情報メッセージを復号の失敗とのうちの少なくとも１つに対応する［３２］に記載の装置。
［３５］
コンピュータ読取可能媒体を備えるコンピュータ・プログラム製品であって、前記コンピュータ読取可能媒体は、
ネットワーク・セルからのそれぞれの共通通信チャネルの獲得を試みることをコンピュータに実行させるコードと、
前記それぞれの共通メッセージの獲得が試みられている間に遭遇された誤りをトラッキングすることをコンピュータに実行させるコードと、
前記それぞれの共通メッセージの獲得が試みられている間に遭遇された、トラッキングされたそれぞれの誤りに従って、前記ネットワーク・セルから離れて再選択を開始することをコンピュータに実行させるコードと
を備えるコンピュータ・プログラム製品。
［３６］
前記それぞれの共通メッセージは、共通制御チャネル(ＣＣＣＨ）に関連付けられている［３５］に記載のコンピュータ・プログラム製品。
［３７］
前記トラッキングすることをコンピュータに実行させるコードは、関連付けられた抽象構文が無効であるそれぞれの共通メッセージをトラッキングすることをコンピュータに実行させるコードを備える［３５］に記載のコンピュータ・プログラム製品。
［３８］
前記トラッキングすることをコンピュータに実行させるコードは、前記それぞれの共通メッセージの獲得が試みられている間に遭遇された誤りのあるメッセージの総数を維持することをコンピュータに実行させるコードを備え、
再選択を開始することをコンピュータに実行させるコードは、前記総数が、予め定められたしきい値を超えていると判定した場合に、前記ネットワークから離れて再選択を開始することをコンピュータに実行させるコードを備える［３５］に記載のコンピュータ・プログラム製品。
［３９］
前記総数は、前記それぞれの共通メッセージの獲得が試みられている間に遭遇された、連続する誤りのあるメッセージの総数を備える［３８］に記載のコンピュータ・プログラム製品。
［４０］
前記総数は、前記それぞれの共通メッセージの獲得が試みられている間に、予め定められた期間内に遭遇された誤りのあるメッセージの総数を備える［３８］に記載のコンピュータ製品。
［４１］
前記トラッキングすることをコンピュータに実行させるコードは、前記それぞれの共通メッセージの獲得が試みられている間に遭遇された、それぞれの誤りのあるメッセージ間の経過時間を判定することをコンピュータに実行させるコードを備え、
前記再選択を開始することをコンピュータに実行させるコードは、前記それぞれの共通メッセージの獲得が試みられている間に遭遇された、それぞれの誤りのあるメッセージ間の経過時間が、予め定められたしきい値よりも短いと判定した場合に、前記ネットワーク・セルから離れて再選択を開始することをコンピュータに実行させるコードを備える［３５］に記載のコンピュータ・プログラム製品。
［４２］
前記再選択を開始することをコンピュータに実行させるコードは、前記ネットワーク・セルに関連付けられた周波数帯域とは本質的に異なる周波数帯域で、前記ネットワーク・セルから離れて再選択を開始することをコンピュータに実行させるコードを備える［３５］に記載のコンピュータ・プログラム製品。
［４３］
コンピュータ読取可能媒体は、前記ネットワーク・セルから、１又は複数の後続のシステム情報メッセージの存在を示すスケジューリング情報を取得することをコンピュータに実行させるコードを更に備え、
前記獲得を試みることをコンピュータに実行させるコードは、前記スケジューリング情報に基づいて、前記１又は複数の後続のシステム情報メッセージの獲得を試みることをコンピュータに実行させるコードを備え、
前記再選択を開始することをコンピュータに実行させるコードは、前記１又は複数の後続のシステム情報メッセージを獲得しようとする試みが失敗した場合に、前記ネットワーク・セルから離れて再選択を開始することをコンピュータに実行させるコードを備える
［３５］に記載のコンピュータ・プログラム製品。
［４４］
前記１又は複数の後続のシステム情報メッセージを獲得しようとする試みの失敗は、前記ネットワーク・セルが前記１又は複数の後続のシステム情報メッセージの送信に失敗することに対応する［４３］に記載のコンピュータ・プログラム製品。
［４５］
前記１又は複数の後続のシステム情報メッセージを獲得しようとする試みの失敗は、前記１又は複数の後続のシステム情報メッセージの受信の失敗と前記１又は複数の後続のシステム情報メッセージを復号の失敗とのうちの少なくとも１つに対応する［４３］に記載のコンピュータ・プログラム製品。
【図１】
0005562978.tif 000002
【図２】
0005562978.tif 000003
【図３】
0005562978.tif 000004
【図４】
0005562978.tif 000005
【図５】
0005562978.tif 000006
【図６】
0005562978.tif 000007
【図７】
0005562978.tif 000008
【図８】
0005562978.tif 000009
【図９】
0005562978.tif 000010
【図１０】
0005562978.tif 000011
【図１１】
0005562978.tif 000012
【図１２】
0005562978.tif 000013
【図１３】
0005562978.tif 000014